(57)【要約】【課題】エレベータの乗りかご１５内における照明光の演出効果を高める。【解決手段】第１実施形態に係るエレベータ用照明装置１１Ａは、エレベータの乗りかご１５に係る天井面１５Ａに、一対のＬＥＤ光源群２３ｃ１，２３ｃ２を組として設けられる複数組の光源ユニット２３ａ〜２３ｊと、一対のＬＥＤ光源群２３ｃ１，２３ｃ２から出る光の軸２３ｃ１１Ｇ１を挟んで該光の照射方向に沿って延びる一対の仕切り板部材２３ｂ３ｂ，２３ｃ３ｂをそれぞれ有する複数組の導光路２３ａ３〜２３ａｊ３と、照明カバー部材１２Ａと、を備える。一対のＬＥＤ光源群２３ｃ１，２３ｃ２は、該光源から出る光の軸２３ｃ１１Ｇ１が乗りかご１５の内部空間を指向するようにエレベータの乗りかご１５に係る天井面１５Ａに対して傾斜して設定される。【選択図】図２Ｄ
2014069923.tif 000002
【特許請求の範囲】
【請求項１】
エレベータの乗りかごに係る構成面に設けられ、相互に対向する一対の光源と、
前記一対の光源から出る光の軸を挟んで該光の照射方向に沿って延びる一対の仕切り板部材を有する導光路と、
前記一対の光源および前記導光路を外方から覆うための光透過性を有する照明カバー部材と、
を備え、
前記一対の光源から出る光の軸は、前記乗りかごの内部空間を指向するように前記構成面に対して傾斜して設定される、
ことを特徴とするエレベータ用照明装置。
【請求項２】
エレベータの乗りかごに係る構成面に、相互に対向する一対の光源を組として設けられる複数組の光源ユニットと、
前記一対の光源から出る光の軸を挟んで該光の照射方向に沿って延びる一対の仕切り板部材をそれぞれ有する複数組の導光路と、
前記複数組の光源ユニットおよび前記複数組の導光路を外方から覆うための光透過性を有する照明カバー部材と、
を備え、
前記一対の光源から出る光の軸は、前記乗りかごの内部空間を指向するように前記構成面に対して傾斜して設定される、
ことを特徴とするエレベータ用照明装置。
【請求項３】
エレベータの乗りかごに係る構成面に、相互に対向する一対の光源を組として設けられる複数組の光源ユニットと、
前記一対の光源から出る光の軸を挟んで該光の照射方向に沿って延びる一対の仕切り板部材をそれぞれ有する複数組の導光路と、
前記複数組の光源ユニットおよび前記複数組の導光路を外方から覆うための光透過性を有する照明カバー部材と、
を備え、
前記一対の光源は、前記乗りかごの内部空間を指向するように前記構成面に対して傾斜して設定される、
ことを特徴とするエレベータ用照明装置。
【請求項４】
前記光の軸は、前記一対の光源を傾斜させることにより、前記内部空間を指向するように構成されていることを特徴とする請求項１または２に記載のエレベータ用照明装置。
【請求項５】
前記光の軸は、前記一対の光源の外方に光学素子を設けることにより、前記内部空間を指向するように構成されていることを特徴とする請求項１または２に記載のエレベータ用照明装置。
【請求項６】
前記仕切り板部材は、前記乗りかごのドアに対して平行に設けられていることを特徴とする請求項１ないし請求項５のいずれか１項に記載のエレベータ用照明装置。
【請求項７】
前記照明カバー部材は、前記仕切り板部材に対して平行な方向に移動して開閉することを特徴とする請求項１ないし請求項６のいずれか１項に記載のエレベータ用照明装置。
【発明の詳細な説明】
【技術分野】
【０００１】
本発明は、エレベータの乗りかご内を照明するためのエレベータ用照明装置に関する。
【背景技術】
【０００２】
エレベータには、乗りかご内を照明するためのエレベータ用照明装置が設けられている。例えば、特許文献１には、照明装置を備えるエレベータの乗りかごに関する技術が開示されている。
【０００３】
特許文献１に係るエレベータの乗りかごに設けられる照明装置は、光源と照明板を備える。照明板は、３つの照射板からなる。複数の壁面部は、ドア面と、ドア面に対向する位置に配置された第１壁面と、左右に配置された一対の壁面とからなる。第１壁面は、３枚の側板からなる。３枚の側板の何れか１枚は、鏡板を備える。光源は、ドア面側から視て左右に分かれて配置された２つの光源からなる。２つの光源の一方は、他方よりも輝度が高い光源体からなる。乗りかごの内部空間は、２つの光源の一方から光が照射される第１領域と、他方から光が照射される第２領域とからなる。
【０００４】
特許文献１に係る技術によれば、光の演出効果を高めつつ視認性が良好なエレベータの乗りかごを得ることができる。
【先行技術文献】
【特許文献】
【０００５】
【特許文献１】特開２０１０−２２８８９８号公報
【発明の概要】
【発明が解決しようとする課題】
【０００６】
ところで、例えば、高層ビルに設置されるエレベータシステムでは、乗りかご内における利用者の滞在時間が比較的長いため、ありきたりの照明装置では、利用者によっては退屈に感じてしまうおそれがある。また、乗りかご内における光の演出効果を高めたいという要望もある。
【０００７】
本発明は、前記の実情に鑑みてなされたものであり、エレベータの乗りかご内における照明光の演出効果を高めることが可能なエレベータ用照明装置を提供することを目的とする。
【課題を解決するための手段】
【０００８】
前記の課題を解決するために、第１の観点に基づく発明は、エレベータの乗りかごに係る構成面に設けられ、相互に対向する一対の光源と、前記一対の光源から出る光の軸を挟んで該光の照射方向に沿って延びる一対の仕切り板部材を有する導光路と、前記一対の光源および前記導光路を外方から覆うための光透過性を有する照明カバー部材と、を備え、前記一対の光源から出る光の軸は、前記乗りかごの内部空間を指向するように前記構成面に対して傾斜して設定される、ことを最も主要な特徴とする。
【０００９】
また、前記の課題を解決するために、第２の観点に基づく発明は、エレベータの乗りかごに係る構成面に、相互に対向する一対の光源を組として設けられる複数組の光源ユニットと、前記一対の光源から出る光の軸を挟んで該光の照射方向に沿って延びる一対の仕切り板部材をそれぞれ有する複数組の導光路と、前記複数組の光源ユニットおよび前記複数組の導光路を外方から覆うための光透過性を有する照明カバー部材と、を備え、前記一対の光源から出る光の軸は、前記乗りかごの内部空間を指向するように前記構成面に対して傾斜して設定される、ことを特徴とする。
【００１０】
さらに、前記の課題を解決するために、第３の観点に基づく発明は、エレベータの乗りかごに係る構成面に、相互に対向する一対の光源を組として設けられる複数組の光源ユニットと、前記一対の光源から出る光の軸を挟んで該光の照射方向に沿って延びる一対の仕切り板部材をそれぞれ有する複数組の導光路と、前記複数組の光源ユニットおよび前記複数組の導光路を外方から覆うための光透過性を有する照明カバー部材と、を備え、前記一対の光源は、前記乗りかごの内部空間を指向するように前記構成面に対して傾斜して設定される、ことを特徴とする。
【発明の効果】
【００１１】
本発明によれば、エレベータの乗りかご内における照明光の演出効果を高めることができる。
【図面の簡単な説明】
【００１２】
【図１Ａ】図１Ａ（ａ），図１Ａ（ｂ）は、本発明の第１実施形態に係るエレベータ用照明装置の取付状態を表す説明図である。
【図１Ｂ】照明カバーを開放した状態の第１実施形態に係るエレベータ用照明装置を斜め下方側から視た図である。
【図１Ｃ】光を照射している一状態の第１実施形態に係るエレベータ用照明装置を下方側から視た図である。
【図２Ａ】本発明の第１実施形態に係るエレベータ用照明装置を、照明カバーを透視して下方から仰瞰した構成図である。
【図２Ｂ】図２Ａに示す第１実施形態に係るエレベータ用照明装置のＡ−Ａ線に沿う矢視断面図である。
【図２Ｃ】図２Ａに示す第１実施形態に係るエレベータ用照明装置のＢ−Ｂ線に沿う矢視断面図である。
【図２Ｄ】図２Ｂに示す第１実施形態に係るエレベータ用照明装置のＣ部拡大図である。
【図３Ａ】図２Ａに示す第１実施形態に係るエレベータ用照明装置のＤ−Ｄ線に沿う矢視断面の拡大図である。
【図３Ｂ】図２Ａに示す第１実施形態に係るエレベータ用照明装置のＥ−Ｅ線に沿う矢視断面の拡大図である。
【図４】照明カバーを開放した状態の第１実施形態に係るエレベータ用照明装置を正面側から視た説明図である。
【図５Ａ】照明カバーを取り付けた状態の第１実施形態に係るエレベータ用照明装置を正面側から透視した説明図である。
【図５Ｂ】照明カバーを取り付けた状態の第１実施形態に係るエレベータ用照明装置を側面側から透視した説明図である。
【図６Ａ】図２Ｂに対応する視点から視た第２実施形態に係るエレベータ用照明装置の断面図である。
【図６Ｂ】図２Ｃに対応する視点から視た第２実施形態に係るエレベータ用照明装置の断面図である。
【図６Ｃ】図６Ｂに示す第２実施形態に係るエレベータ用照明装置のＦ部拡大図である。
【図６Ｄ】図６Ｃに対応する第２実施形態の変形例に係るエレベータ用照明装置の部分拡大図である。
【図７】照明カバーを開放した状態の第２実施形態に係るエレベータ用照明装置を正面側から視た説明図である。
【発明を実施するための形態】
【００１３】
以下、本発明の複数の実施形態に係るエレベータ用照明装置について、図面を参照しながら詳細に説明する。
【００１４】
〔本発明の第１実施形態に係るエレベータ用照明装置１１Ａの構成〕
はじめに、本発明の第１実施形態に係るエレベータ用照明装置１１Ａの構成について、図１Ａ（ａ），図１Ａ（ｂ）、図１Ｂ、図１Ｃ、図２Ａ〜図２Ｄ、および、図３Ａ，図３Ｂを参照して説明する。図１Ａ（ａ），図１Ａ（ｂ）は、本発明の第１実施形態に係るエレベータ用照明装置１１Ａの取付状態を表す説明図である。図１Ａ（ａ）は、乗りかご１５内からドア１９側を視た場合におけるエレベータ用照明装置１１Ａの取付状態を表す説明図であり、図１Ａ（ｂ）は、エレベータシステム１３の外部からドア１９側を視た場合におけるエレベータ用照明装置１１Ａの取付状態を表す説明図である。図１Ｂは、照明カバー１２Ａを開放した状態の第１実施形態に係るエレベータ用照明装置１１Ａを斜め下方側から視た図である。図１Ｃは、光を照射している一状態の第１実施形態に係るエレベータ用照明装置１１Ａを下方側から視た図である。図２Ａは、第１実施形態に係るエレベータ用照明装置１１Ａを、照明カバー１２Ａを透視して下方から仰瞰した構成図である。図２Ｂは、図２Ａに示す第１実施形態に係るエレベータ用照明装置１１ＡのＡ−Ａ線に沿う矢視断面図である。図２Ｃは、図２Ａに示す第１実施形態に係るエレベータ用照明装置１１ＡのＢ−Ｂ線に沿う矢視断面図である。図２Ｄは、図２Ｂに示す第１実施形態に係るエレベータ用照明装置１１ＡのＣ部拡大図である。図３Ａは、図２Ａに示す第１実施形態に係るエレベータ用照明装置１１ＡのＤ−Ｄ線に沿う矢視断面の拡大図である。図３Ｂは、図２Ａに示す第１実施形態に係るエレベータ用照明装置１１ＡのＥ−Ｅ線に沿う矢視断面の拡大図である。図４は、照明カバー１２Ａを開放した状態の第１実施形態に係るエレベータ用照明装置１１Ａを正面側から視た説明図である。
【００１５】
図１Ａ（ａ），図１Ａ（ｂ）に示すように、本発明の第１実施形態に係るエレベータシステム１３は、エレベータ用照明装置１１Ａと、乗りかご１５と、出入り口１７と、ドア１９と、操作部２１と、を有する。また、エレベータシステム１３は建物等の中を昇降する。
【００１６】
本発明の第１実施形態に係るエレベータ用照明装置１１Ａは、図１Ａ（ａ），図１Ａ（ｂ）に示すように、エレベータシステム１３を構成する略直方体形状の乗りかご１５の天井面１５Ａに設けられている。この天井面１５Ａは、本発明の“エレベータの乗りかごに係る構成面”に相当するものである。乗りかご１５には、利用者が乗りかご１５に出入りするための出入口１７と、出入口１７を開閉するためのドア１９と、乗りかご１５の昇降やドア１９による出入口１７の開閉を操作するための操作部２１とが設けられている。
【００１７】
また、第１実施形態に係るエレベータ用照明装置１１Ａは、乗りかご１５内を照明すると共に、乗りかご１５内における照明光の演出効果を高める機能を有する。
【００１８】
こうした機能を実現するために、第１実施形態に係るエレベータ用照明装置１１Ａは、図２Ａに示すように、複数組の光源ユニット２３ａ〜２３ｊ、複数組の導光路２３ａ３〜２３ｊ３（複数の仕切り板部材２３ａ３ｂ〜２３ｉ３ｂを含む）、および、矩形皿状の照明カバー１２Ａ（図１Ｂ参照）を備えて構成されている。
【００１９】
前記複数組の光源ユニット（図２Ａに示す例では、１０組）２３ａ〜２３ｊの構成要素である個々の光源ユニットは、それぞれ共通の構成を有している。そこで、図１Ｂおよび図２Ａに示す光源ユニット２３ｃの構成を代表的に説明することで、複数組の光源ユニット２３ａ〜２３ｊの説明に代えることとする。図１Ｂおよび図２Ａに示す光源ユニット２３ｃは、互いに対向するように配置された一対のＬＥＤ光源群２３ｃ１，２３ｃ２により構成されている。前記一対のＬＥＤ光源群２３ｃ１，２３ｃ２は、例えば、乗りかご１５のドア１９（図１Ａ（ａ）参照）側から見て左右の両端側に配設されている。一対のＬＥＤ光源群２３ｃ１，２３ｃ２の構成について、詳しくは後記する。
なお、以下の説明において、複数組の光源ユニット２３ａ〜２３ｊを総称する場合は、“光源ユニット２３”と呼ぶ場合がある。
【００２０】
複数組の導光路（図２Ａに示す例では、１０組）２３ａ３〜２３ｊ３の構成要素である個々の導光路は、それぞれ共通の構成を有している。そこで、図１Ｂおよび図２Ａに示す導光路２３ｃ３の構成を代表的に説明することで、複数組の導光路２３ａ３〜２３ｊ３の説明に代えることとする。図１Ｂおよび図２Ａに示す導光路２３ｃ３は、一対のＬＥＤ光源群２３ｃ１，２３ｃ２からの光の軸（例えば、図２Ｄの符号“２３ｃ１１Ｇ１”参照）を挟んで光の照射方向に沿って直線的に延びる一対の仕切り板部材２３ｂ３ｂ，２３ｃ３ｂ（図１Ｂおよび図２Ａ参照）をそれぞれ有する。
【００２１】
図２Ａに示す導光路２３ｃ３は、一対のＬＥＤ光源群２３ｃ１，２３ｃ２、および、一対の仕切り板部材２３ｂ３ｂ，２３ｃ３ｂの組み合わせにより区画形成された、略直方体形状の光の通り路である。前記の略直方体形状の内部空間には、蛍光灯のような構造物は存在せず、空気層とされる。図２Ａに示す導光路２３ｃ３と、同導光路２３ｃ３の一方側に隣接する導光路２３ｂ３との間は、仕切り板部材２３ｂ３ｂにより仕切られている。また、図２Ａに示す導光路２３ｃ３と、同導光路２３ｃ３の他方側に隣接する導光路２３ｄ３との間は、仕切り板部材２３ｃ３ｂにより仕切られている。
【００２２】
前記と同様に、図２Ａに示す光源ユニット２３ｃ（一対の光源２３ｃ１，２３ｃ２を含む、以下同じ。）と、同光源ユニット２３ｃの一方側に隣接する光源ユニット２３ｂとの間は、仕切り板部材２３ｂ３ｂにより仕切られている。また、図２Ａに示す光源ユニット２３ｃと、同光源ユニット２３ｃの他方側に隣接する光源ユニット２３ｄとの間は、仕切り板部材２３ｃ３ｂにより仕切られている。
【００２３】
なお、光源ユニット２３ｃに係る一方の仕切り板部材２３ｂ３ｂは、図２Ａに示すように、同光源ユニット２３ｃの一方側に隣接する光源ユニット２３ｂに係る一対の仕切り板部材のうち一方の仕切り板部材（光源ユニット２３ｃの側）を兼ねる。また、光源ユニット２３ｃに係る他方の仕切り板部材２３ｃ３ｂは、同光源ユニット２３ｃの他方側に隣接する光源ユニット２３ｄに係る一対の仕切り板部材のうち一方の仕切り板部材（光源ユニット２３ｃの側）を兼ねる。
【００２４】
要するに、相互に隣り合う複数組の光源ユニット２３ａ〜２３ｊのそれぞれの間、および、相互に隣り合う複数組の導光路２３ａ３〜２３ｊ３のそれぞれの間には、複数の仕切り板部材２３ａ３ｂ〜２３ｉ３ｂが、相互に隣り合う各組の導光路２３ａ３〜２３ｊ３間を仕切るように設けられている。
【００２５】
前記一対の仕切り板部材２３ｂ３ｂ，２３ｃ３ｂは、図２Ｂに示すように、導光路２３ｃ３のうち天板部材２３ｃ３ｃから垂直に立ち下がるように設けられる。一対の仕切り板部材２３ｂ３ｂ，２３ｃ３ｂは、一対のＬＥＤ光源群２３ｃ１，２３ｃ２からそれぞれ照射される光を、乗りかご１５の内部空間へ導く機能を有する。本第１実施形態では、前記一対の仕切り板部材２３ｂ３ｂ，２３ｃ３ｂを含む複数の仕切り板部材は、乗りかご１５のドア１９（図１Ａ（ａ）参照）に対して平行に設けられている。
【００２６】
導光路２３ｃ３を構成する一対の仕切り板部材２３ｂ３ｂ，２３ｃ３ｂおよび天板部材２３ｃ３ｃのそれぞれには、その表面につや消しの黒色塗装が施されている。この黒色塗装は、導光路２３ｃ３を含むすべての導光路２３ａ３〜２３ｊ３に施される。これにより、第１実施形態に係るエレベータ用照明装置１１Ａでは、一対のＬＥＤ光源群２３ｃ１，２３ｃ２から照射された光を、一対の仕切り板部材２３ｂ３ｂ，２３ｃ３ｂおよび天板部材２３ｃ３ｃにおいて吸収するように作用することで、ＬＥＤ光源群２３ｃ１，２３ｃ２からの直接光を、照明カバー１２Ａを通して主として放射し、これをもって、乗りかご１５内における照明光の演出効果を高めるようにしている。
【００２７】
導光路２３ｃ３の構成要素である天板部材２３ｃ３ｃは、エレベータの乗りかご１５に係る天井面１５Ａに沿って設けられる。ただし、天板部材２３ｃ３ｃと天井面１５Ａとは、密着しているか、所定の間隔を置いているのかを問わない。したがって、天板部材２３ｃ３ｃは、本発明の“エレベータの乗りかごに係る構成面”と同一視することができる。
【００２８】
前記複数組の光源ユニット２３ａ〜２３ｊ、および、前記複数組の導光路２３ａ３〜２３ｊ３のそれぞれは、その外方が、矩形皿状の照明カバー１２Ａにより覆われている。ここで、“外方”とは、例えば、光源ユニット２３ｃ、または、導光路２３ｃ３からみて、光の照射方向を意味する。照明カバー１２Ａは、本発明の“照明カバー部材”に相当するものである（図１Ｂおよび図２Ｂ参照）。
【００２９】
第１実施形態に係る照明カバー１２Ａは、矩形状のカバー枠部材１２Ａｃ（図２Ｂ参照）における周縁および下方を、光透過性および柔軟性を有する素材で覆って構成される。この照明カバー１２Ａは、例えば、照明カバー１２Ａによって外方が覆われる複数組の光源ユニット２３ａ〜２３ｊに係るメンテナンスを行う際に、図２Ａに示すように、複数組の光源ユニット２３ａ〜２３ｊを支持するための光源枠部材１８に対して着脱自在に設けられている。
【００３０】
具体的には、照明カバー１２Ａの一側１２Ａａには、図２Ａに示すように、照明カバー１２Ａの一側１２Ａａを支持するための一対のヒンジ部材１４が設けられている。また、照明カバー１２Ａの一側１２Ａａに対向する位置に存する他側１２Ａｂには、照明カバー１２Ａの他側１２Ａｂを支持するための一対のラッチ部材１６が設けられている。ヒンジ部材１４およびラッチ部材１６の構成について、詳しくは後記する。そして、図１Ｂに示すように、一側１２Ａａが一対のヒンジ部材１４を介して光源枠部材１８に固定された状態で、照明カバー１２Ａは開放される。
【００３１】
次に、前記光源ユニット２３ｃを構成する一対のＬＥＤ光源群２３ｃ１，２３ｃ２について、図２Ｃおよび図２Ｄを参照して説明する。
なお、前記一対のＬＥＤ光源群２３ｃ１，２３ｃ２は、共通の構成を有する。また、前記光源ユニット２３ｃを構成する一対のＬＥＤ光源群２３ｃ１，２３ｃ２、および、その他の複数組の光源ユニットを構成する各一対のＬＥＤ光源群も、前記と同様に共通の構成を有する。そこで、ＬＥＤ光源群２３ｃ１の構成を代表的に説明することにより、ＬＥＤ光源群２３ｃ２を含むその他のＬＥＤ光源群の説明に代えることとする。
【００３２】
ＬＥＤ光源群２３ｃ１は、図２Ｃに示すように、赤色・緑色・青色のＬＥＤの素子を１つにパッケージ化したものを、要求される明るさを考慮して必要な数（図２Ｃに示す例では４つ）だけ用いて構成されている。なお、制御基板２７（図２Ｄ参照）は、赤色・緑色・青色の各色を、任意の組み合わせで光らせることができる。これにより、任意の色相、彩度、明度を得ることができる。
【００３３】
要するに、ＬＥＤ光源群２３ｃ１は、例えば４つのＬＥＤ光源２３ｃ１１Ｒ，２３ｃ１１Ｇ，２３ｃ１１Ｂ，２３ｃ１１Ｗを適宜組み合わせて点灯させると共に、各ＬＥＤ光源２３ｃ１１Ｒ，２３ｃ１１Ｇ，２３ｃ１１Ｂ，２３ｃ１１Ｗにそれぞれ含まれる赤色・緑色・青色のＬＥＤ素子に流す電流の大きさを適宜調整することにより、多様な色相、彩度、および、明度を表現することができる。
【００３４】
ＬＥＤ光源群２３ｃ１は、図２Ｄに示すように、導光路２３ｃ３の天板部材２３ｃ３ｃに対して、取付ブラケット２５を介して取り付け支持されている。導光路２３ｃ３を構成する一対の仕切り板部材２３ｂ３ｂ，２３ｃ３ｂのうち下端部２３ｂ３ｂ１，２３ｃ３ｂ１は、図２Ｄに示すように、側方から視てＬＥＤ光源群２３ｃ１を全て覆い隠す位置まで延び出している。この点は、他の仕切り部材についても同様である。
【００３５】
例えば、金属製の取付ブラケット２５は、天板部材２３ｃ３ｃに沿って取り付けられる取付部２５ａと、取付部２５ａに対して角度θ（図２Ｄ参照）だけ傾斜して伸びる傾斜部２５ｂとからなる。取付部２５ａは、導光路２３ｃ３の天板部材２３ｃ３ｃに密着した状態で、例えば、ねじなどの締結部材を介して天板部材２３ｃ３ｃに取り付けられる。天板部材２３ｃ３ｃには、ＬＥＤ光源群２３ｃ１を駆動するための制御基板２７も設けられる。
【００３６】
一方、取付ブラケット２５のうち傾斜部２５ｂには、ＬＥＤ光源群２３ｃ１の板状部材２３ｃ１１が取り付けられる。これにより、後記するＬＥＤ光源２３ｃ１１Ｇから出る光の軸２３ｃ１１Ｇ１を、乗りかご１５の内部空間を指向するように天板部材２３ｃ３ｃに対して傾斜して設定することができる。この実施形態では、ＬＥＤ光源群２３ｃ１が取り付けられる傾斜部２５ｂを、天板部材２３ｃ３ｃに沿って取り付けられる取付部２５ａに対して約４４度傾斜させている。
このように、ＬＥＤ光源群２３ｃ１を傾斜させて設定することで、照明カバー１２Ａの周縁部が暗くなることを軽減ずることができる。
なお、本第１実施形態では、ＬＥＤ光源群２３ｃ１の傾き角度θを約４４度としているがこれに限定されるものではない。ＬＥＤ光源群２３ｃ１の傾き角度θが４０度≦θ≦５０度の範囲であれば、同様の効果を得ることができる。
【００３７】
次に、ＬＥＤ光源による光の放射方向について説明する。４つのＬＥＤ光源２３ｃ１１Ｒ，２３ｃ１１Ｇ，２３ｃ１１Ｂ，２３ｃ１１Ｗは、それぞれが共通の構成を有し、各自の光の放射方向についても共通である。そこで、ＬＥＤ光源２３ｃ１１Ｇに係る光の放射方向を代表的に説明することにより、その他のＬＥＤ光源２３ｃ１１Ｒ，２３ｃ１１Ｂ，２３ｃ１１Ｗに係る光の放射方向の説明に代えることとする。
【００３８】
ＬＥＤ光源２３ｃ１１Ｇは、図２Ｄに示すように、板状部材２３ｃ１１上の取付位置２６から鉛直に伸びる光の軸２３ｃ１１Ｇ１を基準として、周回状に６０度（特に限定されない）の角度の拡がり（図２Ｄの符号２３ｃ１１Ｇ２，２３ｃ１１Ｇ３を参照）をもって光が放射されるように構成されている。前記の光の軸２３ｃ１１Ｇ１は、乗りかご１５の内部空間を基本的に指向している。
【００３９】
要するに、ＬＥＤ光源２３ｃ１１Ｇでは、板状部材２３ｃ１１上の取付位置２６を頂点とする略円錐形状の拡がりをもって、照明カバー１２Ａを通して乗りかご１５の内部空間を指向した光が放射される。
なお、図２Ｄでは、前記の略円錐形状の広がりを持つ範囲は、照明カバー１２Ａの周縁部を含まない。しかし、光の回折や散乱によって、放射された光は、照明カバー１２Ａの周縁部に到達する。従って、前記の略円錐形状の拡がりをもつ光の放射範囲は、照明カバー１２Ａの周縁部に至るまで光が到達することを考慮して適宜設定すればよい。
【００４０】
次に、ヒンジ部材１４およびラッチ部材１６の構成について説明する。ヒンジ部材１４は、図３Ａに示すように、取付側部材１４ａと、可動側部材１４ｂとの間を、一対のアーム部材１４ｃ１，１４ｃ２をそれぞれ介して連結して構成される。ヒンジ部材１４の取付側部材１４ａは、光源枠部材１８にねじなどの締結部材を介して固定される。一方、ヒンジ部材１４の可動側部材１４ｂは、照明カバー１２Ａの一側１２Ａａにねじなどの締結部材を介して固定される。
【００４１】
ラッチ部材１６は、図３Ｂに示すように、ピン部材１６ｃが突出形成される取付側部材１６ａと、ピン部材１６ｃの受け部１６ｄを有する可動側部材１６ｂとの間を、ピン部材１６ｃおよび受け部１６ｄを介して着脱自在に連結して構成される。ラッチ部材１６の取付側部材１６ａは、光源枠部材１８にねじなどの締結部材を介して固定される。一方、ラッチ部材１６の可動側部材１６ｂは、照明カバー１２Ａの一側１２Ａｂにねじなどの締結部材を介して固定される。
【００４２】
次に、照明カバー１２Ａの開閉動作について説明する。取付側部材１６ａが有するピン部材１６ｃを、可動側部材１６ｂが有する受け部１６ｄによる係止状態から解放することで、照明カバー１２Ａは、図４に示すように、ヒンジ部材１４に係合支持された状態で仕切り板部材に対して平行な方向に移動して開く。こうして、図１Ｂに示すように、通常時には照明カバー１２Ａによって覆われている複数組の光源ユニット２３ａ〜２３ｊが、覆われなくなることによって、例えば、光源ユニット２３ａ〜２３ｊに係るメンテナンスを行うことができる。一方、メンテナンスが終了したら、取付側部材１６ａと可動側部材１６ｂとを係止状態とすることで、照明カバー１２Ａが仕切り板部材に対して平行な方向に移動して閉じられ、複数組の光源ユニット２３ａ〜２３ｊが照明カバー１２Ａによって覆われた状態となる。
【００４３】
なお、ヒンジ部材１４およびラッチ部材１６は、例えば、図２Ａに示すように、複数組の導光路２３ａ３〜２３ｊ３に沿って延びるように取り付けるのが好ましい。エレベータ用照明装置１１Ａにおけるヒンジ部材１４およびラッチ部材１６のレイアウトを最適化して、スペース効率を向上することができるからである。
また、ヒンジ部材１４およびラッチ部材１６について、前記の構成のものに限定されることなく、照明カバー１２Ａの着脱が可能になりさえすれば、いかなるものを採用してもよい。
【００４４】
次に、照明カバー１２Ａについて、図５Ａおよび図５Ｂを参照して説明する。図５Ａは、照明カバー１２Ａを取り付けた状態の第１実施形態に係るエレベータ用照明装置１１Ａを正面側から透視した説明図である。図５Ｂは、照明カバー１２Ａを取り付けた状態の第１実施形態に係るエレベータ用照明装置１１Ａを側面側から透視した説明図である。
【００４５】
第１実施形態に係る照明カバー１２Ａは、前記したように、光透過性に加えて柔軟性を有する素材で形成されている。そのため、第１実施形態に係る照明カバー１２Ａでは、図５Ａおよび図５Ｂに示すように、照明カバー１２Ａの周端部１２Ａｘ，１２Ａｙに対して中央部１２Ａｚが下方へ僅かに垂れ下がるようになっている。なお、図５Ａおよび図５Ｂに示す第１実施形態に係る照明カバー１２Ａの垂れ下がり形状は、実際には僅かであるが、理解を容易にする目的で誇張して表現されている。この場合において、複数組の光源ユニット２３ａ〜２３ｊから放射される照明光を乗りかご１５の内部空間から照明カバー１２Ａを通して視ると、複数組の導光路２３ａ３〜２３ｊ３のうち相互に隣接する導光路間における光の境界線（相互に隣接する導光路間で異なる色相を採用した場合）がぼけてみえるため、利用者によっては違和感を抱く可能性がある。
【００４６】
そこで、第１実施形態に係るエレベータ用照明装置１１Ａでは、図５Ａに示すように、例えば導光路２３ｃ３を構成する一対の仕切り板部材２３ｂ３ｂ，２３ｃ３ｂのうち下端部２３ｂ３ｂ１，２３ｃ３ｂ１に係る形状は、照明カバー１２Ａの中央部１２Ａｚに係る垂れ下がり形状と略同等の軌跡を描くように形成されている。
【００４７】
また、第１実施形態に係るエレベータ用照明装置１１Ａでは、図５Ｂに示すように、相互に隣り合う複数組の導光路２３ａ３〜２３ｊ３間をそれぞれ仕切る複数の仕切り板部材２３ａ３ｂ〜２３ｉ３ｂに係る高さ寸法は、照明カバー１２Ａの中央部１２Ａｚに係る垂れ下がり形状と略同等の軌跡を描くように設定されている。
【００４８】
〔本発明の第１実施形態に係るエレベータ用照明装置１１Ａの作用効果〕
本発明の第１実施形態に係るエレベータ用照明装置１１Ａは、エレベータの乗りかご１５に係る構成面（天井面１５Ａ、または、導光路２３ｃ３を構成する天板部材２３ｃ３ｃ）に、一対のＬＥＤ光源群２３ｃ１，２３ｃ２（光源）を組として設けられる複数組の光源ユニット２３ａ〜２３ｊと、一対のＬＥＤ光源群２３ｃ１，２３ｃ２（光源）から出る光の軸２３ｃ１１Ｇ１を挟んで該光の照射方向に沿って延びる一対の仕切り板部材２３ｂ３ｂ，２３ｃ３ｂをそれぞれ有する複数組の導光路２３ａ３〜２３ａｊ３と、複数組の光源ユニット２３ａ〜２３ｊおよび複数組の導光路２３ａ３〜２３ａｊ３を外方から覆うための光透過性を有する照明カバー部材１２Ａと、を備える。
【００４９】
本発明の第１実施形態に係るエレベータ用照明装置１１Ａでは、光源ユニット２３を構成する一対のＬＥＤ光源群（一対の光源）から出る光の軸２３ｃ１１Ｇ１が、乗りかご１５の内部空間を指向するように、前記構成面（天井面１５Ａ）に対して傾斜して設定される。
【００５０】
本発明の第１実施形態に係るエレベータ用照明装置１１Ａによれば、例えば、導光路２３ｃ３では、一対のＬＥＤ光源群２３ｃ１，２３ｃ２（光源）から出る光の軸２３ｃ１１Ｇ１に係る指向性を、一対の仕切り板部材２３ｂ３ｂ，２３ｃ３ｂが有する光の仕切り作用によって、乗りかご１５の内部空間を指向するように整えることができる。また、一対のＬＥＤ光源群２３ｃ１，２３ｃ２（光源）を用いて多様な色相を表現する場合において、ＲＧＢ三原色の飽和による白色化を防ぐことができる。その結果、エレベータの乗りかご１５内における照明光の演出効果を高めることができる。
【００５１】
また、本発明の第１実施形態に係るエレベータ用照明装置１１Ａでは、導光路２３ｃ３を構成する一対の仕切り板部材２３ｂ３ｂ，２３ｃ３ｂのうち下端部２３ｂ３ｂ１，２３ｃ３ｂ１に係る形状、および、相互に隣り合う複数組の導光路２３ａ３〜２３ｊ３間をそれぞれ仕切る複数の仕切り板部材２３ａ３ｂ〜２３ｉ３ｂに係る高さ寸法が、照明カバー１２Ａの中央部１２Ａｚに係る垂れ下がり形状と略同等の軌跡を描くように設定されている。そのため、複数組の光源ユニット２３ａ〜２３ｊから放射される照明光を乗りかご１５の内部空間から照明カバー１２Ａを通して視たとき、複数組の導光路２３ａ３〜２３ｊ３のうち相互に隣接する導光路間における光の境界線がぼけてみえることはない。
図１Ｃに示す本実施形態に係るエレベータ用照明装置１１Ａが光を照射している状態の一例では、赤、青、黄などの異なった色の直線状の光の軌跡を明確に視認することができる。この図１Ｃでは、両端が明るくなっているが、これは、明るい部分にＬＥＤが配置されていることによるものである。中央部が暗いのは、ＬＥＤが斜め下方を照らすように（乗りかご１５の内部空間を指向するように）配置されていることによるものである。
したがって、本発明の第１実施形態に係るエレベータ用照明装置１１Ａによれば、エレベータの乗りかご１５内における照明光の演出効果をいっそう高めることができる。
【００５２】
〔本発明の第２実施形態に係るエレベータ用照明装置１１Ｂの構成〕
次に、本発明の第２実施形態に係るエレベータ用照明装置１１Ｂの構成について、図６Ａ〜図６Ｄ、および、図７を参照して説明する。図６Ａは、図２Ｂに対応する視点から視た第２実施形態に係るエレベータ用照明装置１１Ｂの断面図である。図６Ｂは、図２Ｃに対応する視点から視た第２実施形態に係るエレベータ用照明装置１１Ｂの断面図である。図６Ｃは、図６Ｂに示す第２実施形態に係るエレベータ用照明装置１１ＢのＦ部拡大図である。図６Ｄは、図６Ｃに対応する第２実施形態の変形例に係るエレベータ用照明装置１１Ｂの部分拡大図である。図７は、照明カバー１２Ｂを開放した状態の第２実施形態に係るエレベータ用照明装置１１Ｂを正面側から視た説明図である。
【００５３】
本発明の第１実施形態に係るエレベータ用照明装置１１Ａと、本発明の第２実施形態に係るエレベータ用照明装置１１Ｂとの相違点は、照明カバー１２Ｂの素材およびその周辺構造である。その他の構成は、第１実施形態および第２実施形態間で共通である。そこで、第１実施形態および第２実施形態間で共通の構成部分には共通の符号を付して、その重複する説明を省略する。
【００５４】
前述した第１実施形態に係る照明カバー１２Ａは、光透過性および柔軟性を有する素材で形成しているのに対し、この第２実施形態に係る照明カバー１２Ｂは、光透過性を有する素材、例えば、アクリル樹脂で形成されている。アクリル樹脂は、光透過性および柔軟性を有する素材と比べて、十分な剛性を有する。そのため、第２実施形態に係る照明カバー１２Ｂを、乗りかご１５の天井面１５Ａから吊り下げ支持させた場合でも、照明カバー１２Ｂの周端部１２Ｂｘ，１２Ｂｙに対して中央部１２Ｂｚが下方に垂れ下がることはない。
【００５５】
第２実施形態に係る照明カバー１２Ｂの内方側（複数組の光源ユニット２３ａ〜２３ｊの側）には、図６Ｂ，図６Ｃに示すように、複数の仕切り板部材２３ａ３ｂ〜２３ｉ３ｂに対応する位置に、複数のリブ部材１２Ｂａ〜１２Ｂｉが設けられている。複数のリブ部材１２Ｂａ〜１２Ｂｉは、例えば、乳白色の素材よりなる。
【００５６】
詳しく述べると、第２実施形態に係る照明カバー１２Ｂでは、照明カバー１２Ｂが取り付けられている状態で、複数の仕切り板部材２３ａ３ｂ〜２３ｉ３ｂと、複数のリブ部材１２Ｂａ〜１２Ｂｉとは、各自の先端部分が重なり合って当接する構成を採用している（例えば、図６Ｃの当接部３１ｄ，３１ｅ参照）。仕切り板部材２３ａ３ｂ〜２３ｉ３ｂおよび天板部材２３ｃ３ｃのそれぞれには、その表面につや消しの黒色塗装が施されている。この黒色塗装は、すべての導光路２３ａ３〜２３ｊ３に施される。
【００５７】
なお、照明カバー１２Ｂ側に位置するリブ部材１２Ｂａ〜１２Ｂｉには、黒色塗装が施されていてもよいし、施されていなくてもよい。これにより、第２実施形態に係るエレベータ用照明装置１１Ｂでは、光源ユニット２３ａ〜２３ｊから照射された光を、仕切り板部材２３ａ３ｂ〜２３ｉ３ｂおよび天板部材２３ｃ３ｃにおいて吸収するように作用することで、光源ユニット２３ａ〜２３ｊからの直接光を、照明カバー１２Ａを通して主として放射し、これをもって、乗りかご１５内における照明光の演出効果を高めるようにしている。
【００５８】
また、第２実施形態の変形例に係る照明カバー１２Ｂでは、照明カバー１２Ｂが取り付けられている状態で、複数の仕切り板部材２３ａ３ｂ〜２３ｉ３ｂと、複数のリブ部材１２Ｂａ〜１２Ｂｉとは、各自の先端部分がわずかに離間して位置している。そして、例えばスポンジやゴムなどのシール部材３３ｄａ，３３ｅａを、前記の離間部を埋めるように、仕切り板部材側およびリブ部材側の少なくともいずれかに設ける構成（仕切り板部材側およびリブ部材側の両者に設ける態様を含む）を採用してもよい（例えば、図６Ｃの離間部３３ｄ，３３ｅ参照）。仕切り板部材２３ａ３ｂ〜２３ｉ３ｂおよび天板部材２３ｃ３ｃのそれぞれには、その表面につや消しの黒色塗装が施されている。この黒色塗装は、すべての導光路２３ａ３〜２３ｊ３に施される。
【００５９】
なお、照明カバー１２Ｂ側に位置するリブ部材１２Ｂａ〜１２Ｂｉには、黒色塗装が施されていてもよいし、施されていなくてもよい。これにより、第２実施形態の変形例に係るエレベータ用照明装置１１Ｂでは、光源ユニット２３ａ〜２３ｊから照射された光を、仕切り板部材２３ａ３ｂ〜２３ｉ３ｂおよび天板部材２３ｃ３ｃにおいて吸収するように作用することで、光源ユニット２３ａ〜２３ｊからの直接光を、照明カバー１２Ａを通して主として放射し、これをもって、乗りかご１５内における照明光の演出効果を高めるようにしている。
【００６０】
第２実施形態に係る照明カバー１２Ｂの支持構造は、第１実施形態に係るエレベータ用照明装置１１Ａと同じである。すなわち、取付側部材１６ａが有するピン部材１６ｃを、可動側部材１６ｂが有する受け部１６ｄによる係止状態から解放することで、照明カバー１２Ｂは、図７に示すように、ヒンジ部材１４に係合支持された状態で開く。こうして、通常時には照明カバー１２Ｂによって覆われている複数組の光源ユニット２３ａ〜２３ｊに係るメンテナンスを行うことができる。
【００６１】
〔本発明の第２実施形態に係るエレベータ用照明装置１１Ｂの作用効果〕
本発明の第２実施形態に係るエレベータ用照明装置１１Ｂでは、アクリル樹脂製の照明カバー１２Ｂを採用し、照明カバー１２Ｂの内方側であって複数の仕切り板部材２３ａ３ｂ〜２３ｉ３ｂが対応する位置に、複数のリブ部材１２Ｂａ〜１２Ｂｉを設けている。そして、照明カバー１２Ｂが取り付けられている状態で、複数の仕切り板部材２３ａ３ｂ〜２３ｉ３ｂと、複数のリブ部材１２Ｂａ〜１２Ｂｉとは、各自の先端部分が重なり合って当接する構成を採用している。
【００６２】
本発明の第２実施形態に係るエレベータ用照明装置１１Ｂによれば、複数の仕切り板部材２３ａ３ｂ〜２３ｉ３ｂ、および、複数のリブ部材１２Ｂａ〜１２Ｂｉが協働して、複数組の導光路２３ａ３〜２３ａｊ３毎に光を仕切る作用を発揮することによって、複数組の光源ユニット２３ａ〜２３ｊから出る光の指向性を、乗りかご１５の内部空間を指向するように整えることができる。また、光源ユニット２３ａ〜２３ｊを用いて多様な色相を表現する場合において、ＲＧＢ三原色の飽和による白色化を防ぐことができる。そして、複数組の光源ユニット２３ａ〜２３ｊから放射される照明光を乗りかご１５の内部空間から照明カバー１２Ａを通して視たとき、複数組の導光路２３ａ３〜２３ｊ３のうち相互に隣接する導光路間における光の境界線がぼけてみえることはない。そのため、異なった色の直線状の光の軌跡を明確に視認することもできる。その結果、第１実施形態と同様に、エレベータの乗りかご１５内における照明光の演出効果をいっそう高めることができる。
【００６３】
〔第２実施形態の変形例に係るエレベータ用照明装置１１Ｂの作用効果〕
第２実施形態の変形例に係るエレベータ用照明装置１１Ｂでは、アクリル樹脂製の照明カバー１２Ｂを採用し、照明カバー１２Ｂの内方側であって複数の仕切り板部材２３ａ３ｂ〜２３ｉ３ｂが対応する位置に、複数のリブ部材１２Ｂａ〜１２Ｂｉを設けている。照明カバー１２Ｂが取り付けられている状態で、複数の仕切り板部材２３ａ３ｂ〜２３ｉ３ｂと、複数のリブ部材１２Ｂａ〜１２Ｂｉとは、各自の先端部分がわずかに離間して位置している。そして、例えばスポンジやゴムなどのシール部材３３ｄａ，３３ｅａを、前記の離間部を埋めるように、仕切り板部材側およびリブ部材側の少なくともいずれかに設ける構成（仕切り板部材側およびリブ部材側の両者に設ける態様を含む）を採用している。
【００６４】
第２実施形態の変形例に係るエレベータ用照明装置１１Ｂによれば、複数の仕切り板部材２３ａ３ｂ〜２３ｉ３ｂ、および、複数のリブ部材１２Ｂａ〜１２Ｂｉが協働して光を仕切る作用を発揮することによって、複数組の光源ユニット２３ａ〜２３ｊから出る光の指向性を、乗りかご１５の内部空間を指向するように整えることができる。また、光源ユニット２３ａ〜２３ｊを用いて多様な色相を表現する場合において、ＲＧＢ三原色の飽和による白色化を防ぐことができる。そして、複数組の光源ユニット２３ａ〜２３ｊから放射される照明光を乗りかご１５の内部空間から照明カバー１２Ａを通して視たとき、複数組の導光路２３ａ３〜２３ｊ３のうち相互に隣接する導光路間における光の境界線がぼけてみえることはない。そのため、異なった色の直線状の光の軌跡を明確に視認することもできる。その結果、第２実施形態と同様に、エレベータの乗りかご１５内における照明光の演出効果をいっそう高めることができる。
【００６５】
〔その他の実施形態〕
以上説明した本発明の実施形態は、本発明の具現化例を示したものである。したがって、これらによって本発明の技術的範囲が限定的に解釈されることがあってはならない。本発明はその要旨またはその主要な特徴から逸脱することなく、様々な形態で実施することができるからである。
【００６６】
例えば、本発明の第１および第２実施形態に係る説明において、複数組の導光路２３ａ３〜２３ｊ３の内部空間を空気層とする例をあげて説明したが、本発明はこの例に限定されない。本発明の第１および第２実施形態に係る複数組の導光路２３ａ３〜２３ｊ３の内部空間を、透明な樹脂層により形成してもよい。
【００６７】
また、本発明の第１および第２実施形態に係る説明において、取付ブラケット２５のうち傾斜部２５ｂに、ＬＥＤ光源群２３ｃ１の円板部材２３ｃ１１を取り付けることにより、ＬＥＤ光源２３ｃ１１Ｇから出る光の軸２３ｃ１１Ｇ１を、乗りかご１５の内部空間を指向するように天板部材２３ｃ３ｃ（乗りかご１５の天井面１５Ａ）に対して傾斜して設定する例をあげて説明したが、本発明はこの例に限定されない。
本発明の第１および第２実施形態において、ＬＥＤ光源群２３ｃ１（その他のＬＥＤ光源群も同様）の外方に、光の進行方向を偏向させるレンズなどの光学素子を設けることにより、ＬＥＤ光源２３ｃ１１Ｇから出る光の軸２３ｃ１１Ｇ１を、乗りかご１５の内部空間を指向するように天板部材２３ｃ３ｃに対して傾斜して設定する構成を採用してもよい。
【００６８】
最後に、本発明の第１および第２実施形態では、仕切り板部材を乗りかご１５のドア１９に対して平行に配置した構成としているが、これに限定されるものではない。例えば、エレベータの乗りかご１５内の奥行が浅い場合には、仕切り板部材をドア１９に対して垂直に配置してもよい。
【符号の説明】
【００６９】
１１Ａ    第１実施形態に係るエレベータ用照明装置
１１Ｂ    第２実施形態に係るエレベータ用照明装置
１２Ａ    第１実施形態に係る照明カバー（照明カバー部材）
１２Ｂ    第２実施形態に係る照明カバー（照明カバー部材）
１５      乗りかご
１５Ａ    乗りかごの天井面（エレベータの乗りかご１５に係る構成面）
２３ａ〜２３ｊ    光源ユニット
２３ｃ１，２３ｃ２    一対のＬＥＤ光源群（光源）
２３ａ３〜２３ｊ３    導光路
２３ａ３ｃ〜２３ｊｃ  天板部材（エレベータの乗りかご１５に係る構成面）
２３ｃ１１Ｇ    ＬＥＤ光源
２３ｃ１１Ｇ１    ＬＥＤ光源から出る光の軸
【図１Ａ】
2014069923.tif 000003
【図１Ｂ】
2014069923.tif 000004
【図２Ａ】
2014069923.tif 000005
【図２Ｂ】
2014069923.tif 000006
【図２Ｃ】
2014069923.tif 000007
【図２Ｄ】
2014069923.tif 000008
【図３Ａ】
2014069923.tif 000009
【図３Ｂ】
2014069923.tif 000010
【図４】
2014069923.tif 000011
【図５Ａ】
2014069923.tif 000012
【図５Ｂ】
2014069923.tif 000013
【図６Ａ】
2014069923.tif 000014
【図６Ｂ】
2014069923.tif 000015
【図６Ｃ】
2014069923.tif 000016
【図６Ｄ】
2014069923.tif 000017
【図７】
2014069923.tif 000018
【図１Ｃ】
2014069923.tif 000019